(57)【要約】【課題】  袋体に多くの物を入れて重くなった状態であっても、袋体の紐穴に掛かる負荷を分散する事で、紙袋などのように、破れやすい素材であっても対応でき、袋体に詰め込んだ物の重みによって閉じる事のできる袋体を提供する。【解決手段】同一面上の寄り壁１の上部領域両側へ滑穴２を設け、滑穴２の間に内穴３を設け、滑穴２と内穴３とを紐６で繋ぎ、滑穴２と内穴３との間に位置する紐６の部分領域を脇域７とし、同一面上で二本有する脇域７どうしを取手８で繋ぎ、取手８を引き上げる事で脇域７は引き出されて長くなるに連れ、屈線１２が屈折して側壁９がＶ字状に折れ曲がり、袋体４の開口部５が重みによって閉じ、寄り壁１の上部領域の紐穴への負荷は、滑穴２と内穴３とに分散できるので、多くの物を入れて中身が重くなっても、袋体４は吊下げの強度に耐える事ができる。【選択図】  図１
2009184680.tif 000002
【特許請求の範囲】
【請求項１】
寄り壁１の上部へ滑穴２と内穴３とを設け、袋体４を吊下げる紐６から受ける負荷を、滑穴２と内穴３とに分散させた事を特徴とする負荷分散袋。
【請求項２】
滑穴２は紐６を滑らせる構造にし、内穴３は紐６を固定する構造にし、寄り壁１の両側に滑穴２を設け、滑穴２の間に内穴３を設け、滑穴２と内穴３との間に位置する紐６の部分領域を脇域７とし、脇域７どうしを取手８で繋いで負荷を分散させた事を特徴とする請求項１記載の負荷分散袋。
【発明の詳細な説明】
【技術分野】
【０００１】
本発明は、紐を袋体の隅へ退けた状態で開口し、紐の引き寄せによって開口部を閉じる事のできる紙袋形状の袋に関する物である。
【背景技術】
【０００２】
従来の引き寄せ閉じ袋は、下縁が外側へ傾斜した半円形状蒲鉾形の滑穴へ紐を通して、滑穴間の紐を引き上げる事によって、開口部を閉じる構造の袋であった。
【特許文献１】特願２００８−０１５９５９号
【発明の開示】
【発明が解決しようとする課題】
【０００３】
従来の物は、四箇所有する滑穴に紐を通して袋体を吊下げていたので、負荷が多く掛かる滑穴が破損しやすい、という問題点があり、この問題解決を課題とする。
【課題を解決するための手段】
【０００４】
滑穴間に内穴を設け、滑穴と内穴との間に位置する紐を脇域とし、脇域どうしを取手で繋ぎ、取手の引き上げによって袋体の開口部を閉じる構造にする。
【発明の効果】
【０００５】
滑穴間に内穴を設けた事で、紐から受ける負荷を滑穴と内穴とに分散させる事ができ、脇域どうしを取手で繋いだ事で、紐からの負荷をバランス良く分配して手で持ち易くなり、袋体内部に出る紐領域は、隅の方に出る滑穴と側穴との間と、中域の部分であり、袋体内部に出る紐領域が少ない事から、精算済み商品を収納する作業の邪魔になり難い。
【発明を実施するための最良の形態】
【０００６】
最良の形態を、図１から図４を参照しながら、以下の実施例で説明する。
【実施例１】
【０００７】
図１は、開口状態上面斜視図であり、寄り壁１方を前後方向の縦とし、側壁９方を左右方向の横とする事から側とも表示し、折線は一点鎖線で表示し、山折谷折で表示する折り曲げ方向は外側からを基準にし、袋体４は天面の開口部５を開口した立方体を含む直方体である事が望ましく、前後に対面して成る対の寄り壁１、左右に対面して成る側壁９、寄り壁１と側壁９との下辺に隣接する矩形（正方形も含む）の底壁１０、前記五枚の壁で袋体４を形成し、袋体４の上部領域は単層であっても良く、単層であるならば別個の板を重合して重合帯１１にし、重合帯１１を硬板にして補強しても良くが、袋体４の天縁を延設して折り返して重合帯１１にする事が望ましく、重合帯１１は袋体４の外面へ重合させても良いが、内面へ重合させる事が望ましく、重合帯１１の層は限定ではなく、袋体４の上部領域と合わせて二層、三層、それ以上の重層であっても良く、製造の簡略化を目的にするならば、袋体４と合わせて二層が望ましく、二層にする事で重合帯１１との間に硬板を挟み込んで補強する事ができ、補強用の硬板はプラスチック板や段ボール紙であっても良いが、厚紙である事が望ましく、補強用の硬板は寄り壁１方にだけ有しても良いし、側壁９へ有していても良く、硬板を寄り壁１から側壁９の側穴４周囲までの部分的な延長にする事によって、側壁９を湾出させる板バネの代用にしても良く、袋体４の形成方法は限定ではなく、側壁９の底辺と屈線１２の各々を合着して袋状にしても良いし、従来の紙袋と同じ形成方法であっても良く、合着方法は限定ではないが、接着である事が望ましく、粘着、溶着、場合によっては縫合や嵌合であっても良い。
【０００８】
袋体４の上部と重合帯１１との間へ硬板を挟み込んで補強する構造は、従来の公知技術である事から図示しないと共に文章での表示も以降は省く事にし、寄り壁１の上部へ重合帯１１共に同形状で全層を貫通した滑穴２を打ち抜き、滑穴２の形状は限定ではないが、丸である事が望ましく、滑穴２の大きさは限定ではなくて紐６の太さによって加減するのであって、紐６が難なく滑る事のできる大きさが望ましく、紐６は断面が平たい平紐であっても良いが、断面が丸い丸紐である事が望ましい。
【０００９】
同面上の寄り壁１に有する滑穴２の間へ内穴３を設け、内穴３の形状は限定ではなく、楕円であっても良いし、円であっても良く、又、内穴３は紐６を固定する内留め部である事から穴形状でなくても良く、例えばステープラー（ホッチキス）固定、貼着テープ固定、或いはその他の留め具を用いて留めても良く、内穴３の個数は限定ではなく、単数であっても複数であっても良いが、望ましい個数は二個であり、内穴３は重合帯１１共に同形状の同位置で打ち抜いても良いし、適宜にずらせて紐６が滑るのを防止する構造にしても良く、内穴３への紐６の取り付けは、直接通す事が望ましく、内穴３が単数の場合は穴に通した紐６に玉を作って抜け出るのを防止して固定しても良いが、内穴３の個数が望ましい数の二個である場合は一方の穴から紐６を外側から通して他方の穴から外側へ出し、内穴３どうしの間に位置する紐６の部分領域を中域１３とし、紐６を取り付ける別の方法としては、内穴３に別個の環を取り付けて、その環に紐６を通しても良く、環は内穴３どうしを繋いで取り付けても良く、内穴３と寄り壁１の天縁との間を繋ぐ領域に環を取り付けても良く、内穴３を三個にすれば、中央の内穴３で環を交差させて８の字状にしても良く、内穴３に別個の環を取り付ける場合は、紐６の中域１３は袋体４の外に位置させて取手として利用しても良く、又、袋体４の内方へ中域１３が位置している場合でも内穴３で滑らせれば取手としても利用できる。
【００１０】
側壁９に於いて、中央を天地に縦断する谷折線で屈線１２を入れ、屈線１２を中心線にする線対称で側穴１４を設け、袋体４の側方天地縦辺を側辺１５とし、側穴１４の各々は側辺１５を中心線とする滑穴２との線対称で設ける事が望ましい。
【００１１】
望ましい紐６の通し構造を述べるならば、一方の側壁９に有する一方の側穴１４の外方から紐６（これ以降、同じ紐６である事から紐６を省略する）を内方へ入れて、隣接の寄り壁１に有する一方の滑穴２から外方へ出し、同面上の一方の内穴３から内方へ入れ、同面上の他方の内穴３から外方へ出し、同面上の他方の滑穴２から内方へ入れ、他方の側壁９に有する他方の側穴１４から外方へ出した紐６の端と、面対称の対面に於いても同様に通された紐６の端とを連結するのであり、紐６の端の連結方法は限定ではなく、別個の固定具を用いて連結しても良いが、結ぶ事で連結する事が望ましく、紐６は同寸の二本であっても良いが、一本の紐６の両端を結んで輪の状態にする事が望ましく、結び目の位置は限定ではなく、中域１３で結んでも良いが袋体４の内方に結び目が出ると詰め込みの邪魔になるので、前記した他方の側壁９から外方に出た箇所で結ぶ構造が望ましく、よって一方の側壁９に位置する紐６には結び目を有していないが、紐６の長さに充分な余裕を持たせ、余った領域の根元に固定部１６を設け、固定部１６から出た領域を加減域１７とし、加減域１７によって紐６の長さを調節し、固定部１６は限定でない事から別個の固定具として市販のコードストッパーを用いても良く、又、結ぶ事で固定部２１を形成しても良い。
【００１２】
同一の寄り壁１の面上に於いて、滑穴２と内穴３との間に位置する紐６の部分領域を脇域７とし、脇域７は線対称の状態で左右両側へ二箇所有しており、一方の脇域７と他方の脇域７とを別個の取手８で繋ぎ、取手８の形状や大きさは限定ではないが、片手で握り易い形状と大きさが望ましく、取手８の両端に滑部１８を設け、滑部１８の大きさや形状は限定ではないが、脇域７を通して滑り易い事が条件となり、滑部１８はフック形状であっても良いし、環形状であっても良く、環形状の具体例は丸環及びＤ環があり、紐６の脇域７を直角方向へ跨いだ状態で滑部１８を設ける事が望ましく、平紐形状のテープを適宜な長さに切断し、両端に環の辺を巻いて縫合して取り付けても良いし、適宜な長さのテープの両端に鳩目を付けた穴を形成しても良く、取手８の素材は限定ではなく、柔らかくても良いし硬くても良く、プラスチック、金属、布、紙などを素材に用いる事ができる。
【００１３】
袋体４を形成する素材は限定ではなく、紙袋に使用されている適度に硬い紙が望ましいのであるが、厚紙、段ボール紙、ユポやポリなどのプラスチック、不織布、織り布、保冷シートなどの素材であっても良く、紐６は市販されている従来技術の物を用いるのであり、アクリル、ポリなどのプラスチック素材、綿、麻などの自然素材などがあり、組み紐であっても、より紐であっても良い。
【実施例２】
【００１４】
図２は、閉じ過程側上面斜視図であり、開口部５の閉じる構造は、図示していないが袋体４入れた精算を済ませた精算物の重みによって閉じるのであり、その閉じ過程を述べるならば、取手８を上へ引き上げる事で滑部１８が滑りながら紐６の脇域７を引き出して長くなり、滑穴２と側穴１４との中を滑りながら脇域７が長くなるに連れて側域２１は短くなり、屈線１２が屈折して側壁９は折れ曲がり、寄り壁１上辺が寄り合う事から開口部５は閉じて行き、内穴３間の中域１３は両側から均等に引っ張られるので滑って移動する事は殆ど無く、紐６は両端が結合部２２によって結合されて輪の状態になっており、結合部２２は別個の具材によって結合させても良いが結ぶ事が望ましく、一方の側域２１には結合部２２の代わりに固定部１６を介して加減域１７を形成しても良く、加減域１７の加減は固定部１６で行って、輪になった紐６の長さを調節している。
【００１５】
袋体４は未使用時に平たく折畳む必要があり、平たく折畳む構造を述べるならば、底壁１０両側の屈線１２の下端どうしを繋ぐ折線で底折線１９を入れ、側辺１５の下端から底折線１９を直角な頂点とするＶ字形状でＶ字折線２０を入れて谷折し、Ｖ字折線２０の頂点を境に、底折線１９の中央は谷折にし、両側は山折して底壁１０を折畳む。
【実施例３】
【００１６】
図３は、閉じ状態斜視図であり、取手８を引き上げた事で紐６の脇域７は自然に止まる位置まで引き出されて逆さＶ字形状に近いアーチ形状になり、脇域７の引き出しと連動して屈線１２が屈折して側壁９の上部がＶ字状に折れ曲がり、最終的には袋体４の開口部５は閉じる事になり、アーチ形状になった脇域７の一方は滑穴２に連結し、他方は内穴３に連結して固定されているので、同一面上の寄り壁１に於ける脇域７は二箇所有するＷアーチになって寄り壁１上部への負荷が分散され、従来の紙袋はシングルアーチであった事からＷアーチの本体では少なくても負荷は半分に分散できる効果を得られ、対で有する取手８は並べて持っても良いし、上下に重ねて持っても良く、上下に重ねた状態でロックできる構造にしても良い。
【実施例４】
【００１７】
図４は、脇域の交差型実施例の開口状態上面斜視図であり、同一面上の寄り壁１に於いて、前記までの並列型では隣り合う滑穴2と内穴３とを繋いでいたが、交差型では滑穴２の隣に位置する内穴３を一つ飛ばした他方の内穴３と繋いで脇域７を形成し、他方の脇域に於いても、方向を左右逆にして前記同様の繋ぎ方をし、隣り合う内穴３の間が持ち手領域になる事から、並列型よりも内穴３の間を広くする事が望ましく、又、並列型に於いても内穴３の間を広くしても良く、二本有する脇域７の交差領域を裸の状態で直接持っても良いが、前期の交差領域に管或いは管状の物を用いて管取手２３を設ける事が望ましく、管取手２３によって脇域７どうしを束ねる効果の他、管取手２３を滑り易い素材で形成する事で、脇域７を管取手２３の内面で滑らせて袋体４の開口部５を閉じ易くでき、管取手２３を持つ事で紐６が手垢で汚れるのを防止でき、隣り合う内穴３の間に並列型同様に紐６の中域１３を設けても良いが、交差型では側域２１に紐６の端を位置付けたり、加減域１７を設けたりしなくも良いのである事から、紐６を同寸で2本用い、紐６の端に玉２４を内穴３よりも大きい状態で設け、内穴３で塞き止める取り付け構造であっても良い。
【産業上の利用可能性】
【００１８】
本発明はレジ用紙袋としての利用が目的であるが、従来の紙袋としても利用でき、同一寄り壁１面上で脇域７をダブルにする事は負荷分散の他に、紐の根元（袋体への連結箇所）が三角形である事から揺れを防いで安定吊下げができ、滑穴２は紐６を滑らせる構造が望ましいのであるが、滑穴２に於いても滑らない固定穴であっても良く、Ｗアーチにする事で負荷を分散させて強度を増した紙袋への利用と、布製の鞄にも利用可能である。
【図面の簡単な説明】
【００１９】
【図１】開口状態上面斜視図（実施例１）
【図２】閉じ過程側上面斜視図（実施例２）
【図３】閉じ状態斜視図（実施例３）
【図４】脇域の交差型実施例の開口状態上面斜視図（実施例４）
【符号の説明】
【００２０】
１  寄り壁
２  滑穴
３  内穴
４  袋体
５  開口部
６  紐
７  脇域
８  取手
【図１】
2009184680.tif 000003
【図２】
2009184680.tif 000004
【図３】
2009184680.tif 000005
【図４】
2009184680.tif 000006